(57)【要約】【課題】プッシュ・プッシュ操作型のカードコネクタにカードを保持した後、誤ってカードを抜き出す操作を行った場合でも適正にカードを取り出し得るカードコネクタを合理的に構成する。【解決手段】スライダーＳがロック位置にある状態で、カードＭを引き抜く方向に操作した場合には、カードＭの凹部Ｄに係入している係合片３２の離脱方向への変位を第２アームＡ２の揺動に変換し、この第２アームＡ２の揺動により第２アームＡ２に形成した操作体３３をスライダーＳに接触させ、この操作体３３からスライダーＳに対して押し込む方向への力の作用によりロック機構Ｌのロックを解除する。【選択図】        図９
2004241180.tif 000002
【特許請求の範囲】
【請求項１】
コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、
前記ロック機構が、前記ボディに対してカードを挿入して、このカードに接当する前記スライダーが前記ロック位置までスライド作動した際に該スライダーをロック位置に保持し、このロック状態で前記カードを挿入方向に再度操作した際にロック状態を解除して前記バネの付勢力によりスライダーのイジェクト方向へのスライド作動を許すよう構成されているカードコネクタであって、
前記スライダーが前記ロック位置に保持されている状態において、前記カードに対して抜き出し方向への力を作用させた場合に、この操作に連動して前記スライダーを挿入方向に作動させてロックの解除を行うロック解除機構を備えているカードコネクタ。
【請求項２】
前記ボディにカードを挿入した際にカードの凹部に係入してカードの脱落を防止する係合片を備えると共に、前記ロック解除機構は、前記スライダーが前記ロック位置に保持されている状況において、前記カードに対して抜き出し方向への力が作用した場合に、前記係合片が前記凹部から離脱する際の変位力を、前記スライダーに対して押し込み方向に伝える操作体を備えて構成されている請求項１記載のカードコネクタ。
【請求項３】
前記ボディ側に第１軸芯周りで揺動自在に第１アームを支持し、この第１アームの一方の端部に前記カードの挿入時において前記スライダーからの圧力を受ける受圧部を形成し、他方の端部に第１軸芯と平行姿勢の第２軸芯周りで揺動自在に第２アームを支持すると共に、この第２アームのうち前記第１アームの受圧部と反対側の位置に前記係合片を形成し、この第２アームのうち前記第２軸芯を挟んで前記係合片と反対側の位置に前記操作体を形成し、
この操作体は、前記カードに抜き出し方向に力が作用して前記係合片が前記凹部から離脱する方向に第２アームが揺動した際に、前記スライダーに接触して、このスライダーに押し込み方向への力を作用させるよう構成してある請求項２記載のカードコネクタ。
【請求項４】
前記スライダーが、スライド方向に沿って直線状に形成したスライド作動部と、このスライド作動部の形成方向と直交する姿勢で形成され、カードと接当する接当部とを備えて構成されると共に、前記スライド作動部に形成したハート状のカム溝と、このカム溝に一端が係入し、他端がボディに支持されるフックピンとで前記ロック機構が構成されている請求項１〜３のいずれか１項に記載のカードコネクタ。
【発明の詳細な説明】
【０００１】
【発明の属する技術分野】
本発明は、コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、前記ロック機構が、前記ボディに対してカードを挿入して、このカードに接当する前記スライダーが前記ロック位置までスライド作動した際に該スライダーをロック位置に保持し、このロック状態で前記カードを挿入方向に再度操作した際にはロック状態を解除して前記バネの付勢力によりスライダーのイジェクト方向へのスライド作動を許すよう構成されているカードコネクタに関する。
【０００２】
【従来の技術】
上記のように構成されたカードコネクタとして、カード保持体５に対してスライド移動自在にスライダ７（本発明のスライダー）を備え、カード保持部材５に対してハート型のカム溝１９を形成し、このカム溝１９に対して先端部３１が係入する揺動部材２７（本発明のフックピン）をスライダ７に備え、揺動部材２７の中間部に係合突出部２９を形成したものが存在する。このカードコネクタでは、カード保持部材５にカード部材３（本発明のカード）を挿入した場合には、カード部材３との接当によりスライダ７が作動する結果、揺動部材３１の先端がカム溝１９の所定の位置に達してロック状態に達すると同時に、この揺動部材３１の姿勢変化に伴って係合突出部２９がカード部材３の係合凹部１３に対する突出量を増大して、この係合凹部１３に深く係合して脱落を防止するよう構成されている（例えば、特許文献１参照）。
又、上記のように構成されたカードコネクタとして、イジェクト部材４１（本発明のスライダー）に対して弾性ロック片５０を取付け、コネクタハウジング２にガイド突起６０を形成し、ハートカム４３のレバー案内溝４２に係入するカムレバー４５（本発明のフックピン）とイジェクト部材４１とを連係させている。このカードコネクタでは、カード１０を挿入することにより、弾性ロック片５０に対してガイド突起６０が当接して係止部５０ｂをカード１０の切欠き１８に係合させてカード１０の脱落を防止するよう構成されている（例えば、特許文献２参照）。
【０００３】
【特許文献１】
特開２００１‐１８５２８６号公報  （段落番号〔００１９〕〜〔００３１〕、図５、図７）
【特許文献２】
特開２００２‐１３４２２４号公報  （段落番号〔００２４〕〜〔００４１〕、図４、図７、図９、図１０）
【０００４】
【発明が解決しようとする課題】
デジタルカメラや携帯電話機、あるいは、個人用の携帯情報端末（ＰＤＡ）に使用されるカード状の記憶媒体（本発明のカード）を考えた場合、メモリースティック（商標）  や、ＳＤカード（商標）のように比較的小型の記憶媒体は、特許文献１や特許文献２に記載されるようにハートカム式のロック機構を具備するカードコネクタを介して装置本体にセットされることが多い。
【０００５】
この種のカードコネクタは、カードコネクタのボディ内にカードを押し込むことによりカードに接当するスライダーがロック機構がロック位置に達してカードを保持し、この保持状態でカードを再度押し込む方向に操作することによりロック機構のロックが解除され、バネ等の付勢力によりスライダーとともにカードが押し出され取出せるものとなっている（所謂、プッシュ・プッシュ操作型）。
【０００６】
しかしながら、前述した構造のカードコネクタに対してカードを保持した後において、カードを取り出す際の操作を考えると、カードを取り出すためにカードを再度押し込み方向へ操作する必要があることを認識していないユーザや、カードの取り外しに慣れていないユーザの場合、誤ってカードを抜き出す方向に操作することがある。このように誤ってカードを抜き出す方向に操作した場合には、カードを抜き出せた場合でも、スライダーがロック位置に保持されたままとなり、これ以降、適正な操作を行えない点で改善が望まれている。
【０００７】
特に、特許文献１や特許文献２に示されるように、カードの凹部（特許文献１の係合凹部、特許文献２の切欠き）に係合片を係入させてカードの保持を行う構造のカードコネクタでは、ロック状態においてカードの脱落を阻止する機能を有するものであるが、誤ってカードを抜き出す方向に操作した場合には、凹部に対する係合構造を破損することもあり改善の余地がある。
【０００８】
本発明の目的は、プッシュ・プッシュ操作型のカードコネクタにカードを保持した後、誤ってカードを抜き出す操作を行った場合でも、適正にカードを取り出し得るカードコネクタを合理的に構成する点にある。
【０００９】
【課題を解決するための手段】
本発明の請求項１に係るカードコネクタの特徴、作用・効果は次の通りである。
〔特徴〕
コンタクトを有したボディと、このボディに対してイジェクト位置・ロック位置の間でスライド作動するスライダーと、このスライダーに対してイジェクト方向に付勢力を作用させる付勢機構と、前記スライダーを前記ロック位置に保持するロック機構とを備えると共に、前記ロック機構が、前記ボディに対してカードを挿入して、このカードに接当する前記スライダーが前記ロック位置までスライド作動した際に該スライダーをロック位置に保持し、このロック状態で前記カードを挿入方向に再度操作した際にロック状態を解除して前記バネの付勢力によりスライダーのイジェクト方向へのスライド作動を許すよう構成されているカードコネクタにおいて、前記スライダーが前記ロック位置に保持されている状態において、前記カードに対して抜き出し方向への力を作用させた場合に、この操作に連動して前記スライダーを挿入方向に作動させてロックの解除を行うロック解除機構を備えている点にある。
【００１０】
〔作用・効果〕
上記特徴によると、ボディにカードを挿入してロック機構によりカードをロック位置に保持した状態において、カードに対して抜き出し方向への操作力が作用した場合には、ロック解除機構が、スライダーを挿入方向に作動させてロックの解除を行い、このロックが解除により付勢機構の付勢力でイジェクト方向に作動するスライダーとともにカードを取り出せるものとなる。つまり、誤ってカードを抜き出す方向に操作した場合でも、ロック機構によるロックを適正な操作形態と同様の操作形態で解除するので、無理のない操作形態でのロック解除を行えるのである。その結果、プッシュ・プッシュ操作型のカードコネクタにカードを保持した後、誤ってカードを抜き出す操作を行った場合でも、スライダーを適正に作動させてカードを取り出し、以降の操作も適正に操作し得るカードコネクタが合理的に構成された。
【００１１】
本発明の請求項２に係るカードコネクタの特徴、作用・効果は次の通りである。
〔特徴〕
請求項１記載のカードコネクタにおいて、前記ボディにカードを挿入した際にカードの凹部に係入してカードの脱落を防止する係合片を備えると共に、前記ロック解除機構は、前記スライダーが前記ロック位置に保持されている状況において、前記カードに対して抜き出し方向への力が作用した場合に、前記係合片が前記凹部から離脱する際の変位力を、前記スライダーに対して押し込み方向に伝える操作体を備えて構成されている点にある。
【００１２】
〔作用・効果〕
上記特徴によると、ロック状態でカードを抜き出す方向に操作した場合には、カードの凹部に係入している係合片が変位し、この変位力をロック解除機構を構成する操作体がスライダーを押し込む方向に作用させてロック機構のロックを解除できる。つまり、ロック状態でカードの脱落を防止するための係合片を利用し、この係合片の変位力をスライダーを押圧するように変換して伝える変換系を形成することによりロック状態の解除を実現するのである。その結果、従来からカードコネクタに備えられているカードの脱落防止用の係合片を利用して適正なロック解除を行えるものとなった。
【００１３】
本発明の請求項３に係るカードコネクタの特徴、作用・効果は次の通りである。
〔特徴〕
請求項２記載のカードコネクタにおいて、前記ボディ側に第１軸芯周りで揺動自在に第１アームを支持し、この第１アームの一方の端部に前記カードの挿入時において前記スライダーから圧力を受ける受圧部を形成し、他方の端部に第１軸芯と平行姿勢の第２軸芯周りで揺動自在に第２アームを支持すると共に、この第２アームのうち前記第１アームの受圧部と反対側の位置に前記係合片を形成し、この第２アームのうち前記第２軸芯を挟んで前記係合片と反対側の位置に前記操作体を形成し、この操作体は、前記カードに抜き出し方向に力が作用して前記係合片が前記凹部から離脱する方向に第２アームが揺動した際に、前記スライダーに接触して、このスライダーに押し込み方向への力を作用させるよう構成してある点にある。
【００１４】
〔作用・効果〕
上記特徴によると、ボディにカードを挿入した場合には、第１アームの受圧部が、スライダーからの圧力を受け、第１軸芯周りで揺動し、スライダーがロック位置に達した時点で、受圧部と第１軸芯を挟んで反対側に位置する第２アームの係合片をカードの凹部に係合させることが可能となる。このロック状態でカードを抜き出し方向に操作した場合には、カードの凹部に係合する係合片が変位することで第２アームが第２軸芯周りで揺動し、この第２アームに形成した操作体からスライダーを押し込み方向に力を作用させるものとなり、ロック機構のロックを解除させる。つまり、第１アームに対して第２アームを支持することにより、カードの挿入時にはカードの挿入領域から係合片を待避させて係合片を接触させずカードの円滑な挿入を実現し、挿入完了時には第１アームを揺動させることで係合片をカードの凹部に係入させる作動を実現し、カードがロック状態で保持された後には、カードの抜き出し方向への作動と連係してスライダーを押し込み方向に作動させて強制的にロック状態を解除してスライダーと伴にカードを取り出せるのである。その結果、機械的な作動を利用して良好な操作性を得ながら、ロック状態ではカードに係合片を係合させてカードの脱落を防止し、カードを抜き出し方向に操作した場合には適正にロック状態を解除できるものとなった。
【００１５】
本発明の請求項４に係るカードコネクタの特徴、作用・効果は次の通りである。
〔特徴〕
請求項１〜３のいずれか１項に記載のカードコネクタにおいて、前記スライダーが、スライド方向に沿って直線状に形成したスライド作動部と、このスライド作動部の形成方向と直交する姿勢で形成され、カードと接当する接当部とを備えて構成されると共に、前記スライド作動部に形成したハート状のカム溝と、このカム溝に一端が係入し、他端がボディに支持されるフックピンとで前記ロック機構が構成されている点にある。
【００１６】
〔作用・効果〕
上記特徴によると、カードを挿入した際には、カードがスライダーの接当部に対して広い面で接当するので、このスライダーはスライド作動部によってボディに対して直線的に移動するものとなる。又、ロック機構をスライド作動部に形成したハート状のカム溝と、カム溝に一端が係入するフックピンとで構成することにより、スライダー以外の部材に対して特別にカムを形成しなくともロック機構を構成できる。その結果、例えば、金型を用いてスライダーを形成することにより、スライダーにカム溝を一体的に形成して簡単にロック機構を構成できるものとなった。
【００１７】
【発明の実施の形態】
以下、本発明の実施の形態を図面に基づいて説明する。
図１及び図２に示すように、並列的に配置された複数の第１コンタクト１と第２コンタクト２とを備えたボディＢと、このボディＢに対するカード挿抜方向に沿ってイジェクト位置Ｅｊ及びロック位置Ｌｏ（第１ロック位置Ｌｏ１・第２ロック位置Ｌｏ２の上位概念）の間でスライド作動自在に形成されたスライダーＳと、このスライダーＳに対して前記イジェクト方向に付勢力を作用させる付勢機構としての圧縮型と引っ張り型との２種のバネ３、４と、前記スライダーＳを前記ロック位置Ｌｏに保持するロック機構Ｌと、これらを覆うケースＣとを備えてカードコネクタが構成されている。
【００１８】
このカードコネクタは、デジタルカメラや携帯電話機、あるいは、携帯情報端末（ＰＤＡ）等の機器に備えられるものであり、これらに機器に対してメモリースティック（商標）  、あるいは、ＳＤカード（商標）で代表されるカードＭや、小型のハードディスクとしてマイクロドライブ（商標）で代表されるカードＭの装着と分離とを実現するものである。
【００１９】
図１にはメモリースティック型のカードＭを示しており、このカードＭは、カード全体が樹脂材で成ると共に、カード端部に複数の電極Ｐを並列的に形成し、このカードＭの端部側の角部を取り除いて誤挿入防止用の切り欠き部Ｎを形成し、又、側縁部の一部を取り除いて係合用の凹部Ｄを形成している。このカードコネクタは前記メモリースティック型のカードＭと、挿抜方向での寸法を短縮した形態の小型のカード（図示せず）との使用が許される兼用型に構成されている。
【００２０】
このカードコネクタは所謂、プッシュ・プッシュ操作型に構成され、このカードコネクタに対して、カードＭを挿入した場合には、このカードＭとの接当によりスライダーＳが第１ロック位置Ｌｏ１又は第２ロック位置Ｌｏ２に達した位置でロック機構ＬがスライダーＳをロック状態を保持する。次に、このロック状態からカードＭを挿入方向に再度操作した場合に、ロック機構Ｌによるロックが解除され、バネ３、４の付勢力によりスライダーＳがイジェクト位置Ｅｊまで移動し、このスライダーＳと伴にカードＭが押し出されカードＭを取り出せるものとなっている（この作動の詳細は後述する）。尚、カードコネクタに対して前記メモリースティック型のカードＭを挿入した場合には、カードＭの電極Ｐに対して前記第１コンタクト１とが接触し、これに代えて前記小型のカード（図示せず）を挿入した場合には、カードの電極と第２コンタクト２とが接触する。
【００２１】
前記ケースＣは、アルミニウム合金や、銅合金の薄板のように加工が比較的容易で適度の剛性を有した金属素材をプレス成形して成り、このケースＣにはボディＢに挿入されるカードＭを案内する機能を有し、又、このケースＣにはスライダーＳをガイドする部位の一部を切り欠いて前記ロック機構Ｌのフックピン５に付勢力を作用させる板バネ部６を一体形成している。
【００２２】
前記ボディＢは、絶縁性の樹脂材により前記カードＭが挿入される本体部１０と、前記スライダーＳを案内するガイド部１１とを一体形成すると共に、この本体部１０に対して前記第１コンタクト１と第２コンタクト２とを備えている。又、このガイド部１１におけるロック方向の端部にロック側ストッパー１２を一体形成し、イジェクト方向の端部にイジェクト側ストッパー１３を一体的に形成している。
【００２３】
前記スライダーＳは、前記ガイド部１１に案内される状態で直線的にスライド作動するスライド作動部２０と、このスライド作動部２０から直交する方向にアーム状に形成した接当部２１とを樹脂材で一体的に形成している。又、接当部２１の端部にはスライダーＳのスライド作動方向に対して傾斜する姿勢のカム面２１Ａを形成してあり、前記スライド作動部２０の外面のうち、カード挿入経路と逆側の面に対して前記ロック機構Ｌを構成するハートカムＣＡＭを一体的に形成している。
【００２４】
前記ロック機構Ｌは、前記ハートカムＣＡＭと、前記フックピン５とで構成されている。ハートカムＣＡＭは図４及び図５に示す形状のカム溝Ｇを有して成り、フックピン５は、ピアノ線のように比較的剛性が高い線材の両端部を折り曲げ、その一端側に前記カム溝Ｇに係入する倣い軸５Ａを形成し、他方の端部側に前記イジェクト側ストッパー１３に揺動自在に支持される支持軸５Ｂを形成している。尚、このフックピン５は前記ケースＣに形成された板バネ部６からの圧力が作用することで、倣い軸５Ａの端部がカム溝Ｇの底部に対して接触可能となる。
【００２５】
前記カム溝Ｇは、スライダーＳがイジェクトＥｊ位置にある場合に、前記倣い軸５Ａが位置するイジェクトポイントＥｐと、スライダーＳが第１ロック位置Ｌｏ１にある場合に、前記倣い軸５Ａが位置する第１ロックポイントＬｐ１との間に環状に形成され、かつ、前記イジェクトポイントＥｐと、スライダーＳが第２ロック位置Ｌｏ２にある場合に、前記倣い軸５Ａが位置する第２ロックポイントＬｐ２との間に環状に形成されている。尚、第１ロックポイントＬｐ１と第２ロックポイントＬｐ２との上位概念をロックポイントＬｐと総称する。
【００２６】
前記第１ロックポイントＬｐ１、あるいは、第２ロックポイントＬｐ２の部位には、バネ３、４の付勢力でスライダーＳがイジェクト位置Ｅｊへ移動する現象を阻止するよう、倣い軸５Ａが嵌り込む壁状のロック面Ｌｓを形成している。
【００２７】
前記カム溝Ｇは、前記イジェクトポイントＥｐと、第１ロックポイントＬｐ１及び第２ロックポイントＬｐ２との間に形成されるものの、従来からのハートカムに形成されたカム溝と基本的には変わらない構造を有している。具体的には、イジェクトポイントＥｊから２つのロックポイントＬｐ１、Ｌｐ２に向けて挿入レーンＧｉｎを形成し、第１ロックポイントＬｐ１からイジェクトポイントＥｊに向けて戻りレーンＧｒｅを形成し、これら挿入レーンＧｉｎと戻りレーンＧｒｅとの中間位置で、イジェクトポイントＥｐに近い位置に第２ロックポイントＬｐ２を配置している。又、第１ロックポイントＬｐ１に至る挿入レーンＧｉｎと戻りレーンＧｒｅとの間にバイパスレーンＧｂを形成している。
【００２８】
このカム溝Ｇのうち、挿入レーンＧｉｎは図４及び図５に矢印で示すように倣い軸５Ａの移動方向での下手側が浅くなるよう溝深さが設定され（カム溝Ｇの底面を部分的に傾斜させている）、この挿入レーンＧｉｎから第１ロックポイントＬｐ１に至る領域に、階段状に溝深さが深くなる戻り阻止部Ｇｓを２箇所形成し、又、第１ロックポイントＬｐ１と戻りレーンＧｒｅとの境界部位にも階段状に溝深さが深くなる戻り阻止部Ｇｓを形成している。戻りレーンＧｒｅにも同様に矢印で示す倣い軸５Ａの移動方向での下手側が浅くなるよう溝深さが設定され  （カム溝Ｇの底面を部分的に傾斜させている）、更に、この戻りレーンＧｒｅとイジェクトポイントＥｐとの境界部位に対しても、階段状に溝深さが深くなる戻り阻止部Ｇｓを形成してある。
【００２９】
前記第２ロックポイントＬｐ２の部位においても第１ロックポイントＬｐ１と同様に対応する部位に戻り阻止部Ｇｓが形成されている。尚、カム溝Ｇは挿入レーンＧｉｎと戻りレーンＧｒｅとにおいて倣い軸５Ａの移動方向下手側の溝深さを浅くすることにより、複数箇所に戻り阻止部Ｇｓを形成しているにも拘わらず、カム溝Ｇ全体の溝深さを深くしないで済むものにしている。
【００３０】
前記バイパスレーンＧｂは、カードＭの挿入途中で挿入を休止した場合等、スライダーＳが作動領域の途中で倣い軸５ＡをイジェクトポイントＥｐに戻す必要がある場合に、倣い軸５Ａが第２ロックポイントＬｐ２に導入される不都合を阻止するために形成したものである。
【００３１】
本カードコネクタは、ボディＢにメモリスティック型のカードＭを挿入してロック機構Ｌがロック状態に達した後、このカードＭを誤って抜き出す操作を行った場合に、カードＭの抜き出し操作に連係してロック機構Ｌのロックを強制的に解除し、バネ４、５の付勢力によりスライダーＳがイジェクト位置Ｅｊに復帰する作動によりカードＭを取り出すためのロック解除機構Ｒを備えた点に特徴を有するものである。
【００３２】
図２及び図３に示すように、前記ボディＢに対して第１軸芯Ｙ１周りで揺動自在に第１アームＡ１を支持すると共に、この第１アームＡ１の一方の端部に前記カードＭの挿入時に前記スライダーＳの移動方向での下手側の端部からの圧力を受ける受圧部３０を形成している。この第１アームＡ１のうち第１軸芯Ｙ１を挟んで他方側に位置する端部３１には第１軸芯Ｙ１と平行姿勢の第２軸芯Ｙ２周りで揺動自在に第２アームＡ２を支持している。この第２アームＡ２のうち前記第１アームＡ１の受圧部３０と反対側の位置に対して前記カードＭの凹部Ｄに係入自在な係合片３２を形成している。この第２アームＡ２のうち前記第２軸芯Ｙ２を挟んで前記係合片３２と反対側の位置に操作体３３を形成し、この操作体３３と一体的に第２アームＡ２との接当部３３Ａを形成している。更に、第１アームＡ１の受圧部３０がカードＭの挿入経路側に張り出す方向に向けて第１アームＡ１に付勢力を作用させる第１トーションバネＴ１を備え、又、第２アームＡ２の係合片３２をカードＭの挿入経路から離間させる方向に第２アームＡ２に付勢力を作用させる第２トーションバネＴ２を備えている。
【００３３】
このカードコネクタでは、前記係合片３２がカードＭの凹部Ｄに係入することでカードＭの脱落を防止するよう機能するものであり、この係合状態で、カードＭに対して抜き出し方向に力を作用させた場合には係合片３２が凹部Ｄから離脱する際の変位力を前記操作体３３に伝え、この操作体３３からの力をスライダーＳの接当部２１をカム面２１Ａに接触させ、このスライダーＳを押し込む方向に力を作用させることでロック機構Ｌのロックを解除するよう前記ロック解除機構Ｒが構成されている。つまり、ロック解除機構Ｒは、前記第１アームＡ１を形成する部材と、第２アームＡ２を形成する部材とで構成されている。
【００３４】
このようにカードコネクタが構成されているので、図２に示すように、スライダーＳがイジェクト位置Ｅｊにある状態では（スライダーＳの端部がイジェクト側ストッパー１３に接当する状態）、第１トーションバネＴ１からの付勢力により第１アームＡ１を揺動端まで揺動させ、受圧部３０をスライダーＳの作動領域内に大きく張り出させている。このように第１アームＡ１の揺動姿勢が決まることにより、第２軸芯Ｙ２がカードＭの挿入経路から離間する側に変位し、しかも、第２トーションバネＴ２の付勢力により前記接当部３３Ａが第１アームＡ１に接当しているので、係合片３２をカードＭの挿入領域から離間させる側に第２アームＡ２を揺動させ、結果として、係合片３２をカードＭの挿入経路から離間させている。又、この状態ではロック機構ＬのハートカムＣＡＭのカム溝ＧのうちイジェクトポイントＥｐに倣い軸５Ａが位置している。
【００３５】
次に、カードＭをボディＢに対して挿入した場合には、カードＭの挿入側の端部にスライダーＳの接当部２１が接当し、バネ３、４の付勢力に抗してスライダーＳがロック方向に移動を開始する。このようにスライダーＳが移動を開始した後には、第１ロック位置Ｌｏ１に接近する領域で、第１アームＡ１の受圧部３０がスライダーＳの接当部２１に接当し、この接当部２１からの圧力により第１軸芯Ｙ１周りで第１アームＡ１が揺動を開始し、第２アームＡ２が全体的にカードＭに接近する側に変位し、係合片３２がカードＭの凹部Ｄに対して係入する作動を開始する。
【００３６】
カードＭを挿入する操作を継続し、カードＭを操作端まで挿入する操作を行うことにより、図６に示すように、係合片３２がカードＭの凹部Ｄに対して完全に係合する状態に達すると共に、倣い軸５Ａが第１ロックポイントＬｐ１を超えた位置に達する。この後、操作力を解除することでバネ４、５の付勢力によってスライダーＳが僅かに戻る方向に作動し、図７に示すように、前記倣い軸５Ａが第１ロックポイントＬｐ１に導入される結果、ロック機構ＬはスライダーＳを第１ロック位置Ｌｏ１に保持する形態でロック状態に達する。
【００３７】
このロック状態に達することにより、カードＭを適正に保持すると共に、第２トーションバネＴ２の付勢力によって係合片３２がカードＭの凹部Ｄに対して係合する状態に達し、カードＭの脱落を防止する。又、このようにロック機構Ｌがロック状態に達した時点では、カードＭの電極Ｐが第１コンタクト１に接触し、夫々の間で信号のアクセスが可能となる。
【００３８】
このロック状態にあるカードＭを適正な操作で取り出す場合には、カードＭを再度、挿入方向に操作することになる。つまり、カードＭを挿入方向に操作した場合には、図８に示すように、スライダーＳが押し込み方向に僅かに変位し、前記第１ロックポイントＬｐ１に位置する倣い軸５Ａが戻りレーンＧｒｅに導入される。このように倣い軸５Ａが戻りレーンＧｒｅに導入された後には、挿入方向への操作力を解除するだけで、スライダーＳがバネ４、５の付勢力でイジェクト位置Ｅｊの側に移動を行い、最終的にイジェクト位置Ｅｊに達した時点でカードＭを簡単に取り出せるのである。
【００３９】
又、ロック機構Ｌのロック状態が解除されてスライダーＳがイジェクト位置Ｅｊの方向に作動を行う際には、前記第１アームＡ１の受圧部３０に対する圧力が開放されるので前記第１トーションバネＴ１の付勢力によって受圧部３０がスライダーＳの作動領域側に変位し、この変位に連係して第２アームＡ２がカードＭの挿入領域外の方向に変位するので、カードＭの凹部Ｄに対する係合片３２に係合が解除され、スライダーＳの移動を阻害することもない。
【００４０】
前述のようにロック機構Ｌがロック状態にある場合に、カードＭを取り出すためにユーザが誤ってカードＭを摘んで抜き出す方向に操作した場合には前記ロック解除機構Ｒが機能する。つまり、ロック状態でカードＭに対して抜き出す方向に操作力が作用した場合には、図９に示すように、カードＭの移動に伴い、カードＭの凹部Ｄに係入している係合片３２が凹部Ｄから離脱する方向への力が発生し、この力により第２アームＡ２が第２軸芯Ｙ２周りで揺動を開始する。
【００４１】
前述のように第２アームＡ２が揺動すると、スライダーＳの接当部２１の端部に形成したカム面２１Ａに対して、第２アームＡ２の操作体３３の端部が接当し、スライダーＳを押し込む方向へ力を作用させる。又、凹部Ｄから係合片３２が完全に抜け出すまで第２アームＡ２が揺動した際に、操作体３３の揺動により接当部２１を押し込み方向に移動させる移動ストロークを、ロック機構Ｌのロックを解除するに充分な量に設定してある。従って、カードＭを抜き出し方向に操作した場合には、前述したようにカードＭの凹部Ｄから係合片３２が離脱する際の力を、スライダーＳを押し込む方向に変換して、このスライダーＳに作用させるので、この力によりスライダーＳが押し込み方向に作動し、ロック機構Ｌのロック状態を解除する。このロック状態の解除の結果、バネ３、４の付勢力によってスライダーＳをイジェクト位置Ｅｊまで作動させ、適正な操作を行った場合と同様にカードＭを取り出せるものとなっているのである。
【００４２】
このように本発明のカードコネクタでは、従来からのカードコネクタと同様にプッシュ・プッシュ操作によってカードＭを挿入してロック状態で保持する操作と、ロック状態のカードＭの取り出し操作を簡便に行えるものにしながら、ロック解除機構Ｒを備えることにより、メモリスティック型のカードＭをロック状態で保持した後に、このカードＭを誤って抜き出す操作を行った場合でも、適正な操作を行った場合と同様にスライダーＳをイジェクト方向に作動させてカードＭを取り出せるのである。特に、ロック解除機構Ｒは、２つのアームを組み合わせることにより、ロック状態では係合片３２をカードＭの凹部Ｄに係合させてカードＭの脱落を防止する機能を発揮させながら、カードＭを抜き出す方向に力が作用した場合には、スライダーＳを適正な方向に作動させてロック機構Ｌのロック状態を解除するので作動形態に無理がない。
【００４３】
又、本発明のカードコネクタと、ロック解除機構Ｒを備えていないカードコネクタとを比較すると、ロック解除機構Ｒを備えていないものでメモリスティック型のカードＭをロック機構Ｌで保持した状態で、誤ってカードＭを抜き出した場合にはスライダーＳがロック状態に保持されたままとなり、この後、これより小型のカードＭとを挿入した場合には、カードＭがスライダーＳに接触しないので、操作感覚に違和感があるばかりか、適切な位置より浅く挿入することや、適切な位置より深く挿入することも考えられ、しかも、この挿入の後に、カードＭを取り出すことが極めて困難な状況に陥るものとなる。これに対して本発明では、メモリスティック型のカードＭをロック機構Ｌで保持した状態で、誤ってカードＭを抜き出した場合にも、ロック解除機構Ｒの機能によりスライダーＳが必ずイジェクト位置Ｅｊに復元するので、この後、小型のカードＭを挿入する場合にも、スライダーＳを第２ロック位置Ｌｏ２で確実にロックさせ得るものとなり、前述した不都合を発生することがないのである。
【００４４】
〔別実施の形態〕
本発明は上記実施の形態以外に、例えば、以下のように構成しても良い（この別実施の形態では前記実施の形態と同じ機能を有するものには、実施の形態と共通の番号、符号を付している）
【００４５】
（イ）カードの両側部に凹部Ｄを有するものに対応して、その凹部Ｄに係合可能な係合片が形成された一対のアームを備えてカードコネクタを構成することも可能である。このようにカードコネクタを構成した場合には、ロック状態においては一対の凹部Ｄに一対の係合片を係合させることになるのでカードＭの脱落を良好に防止できるものとなる。
【００４６】
（ロ）発明の実施の形態では、ボディＢの内部に２組のコンタクト１、２を形成して２種のカードに対応できるようカードコネクタを構成していたが、単一のカードＭに対応する、あるいは、３種以上のカードＭに対応するよう構成されたカードコネクタに本発明を適用するものであっても良い。
【００４７】
（ハ）第１アーム、第２アームの少なくとも一方の姿勢を検出するセンサを備えることにより、カードがロック状態にあることを判別できるよう構成し、この判別結果に基づいてランプを点灯や、消灯を制御する制御系と連係させる。このように構成することにより、カードの状態を確実に把握してデータのアクセスを確実にするものとなる。
【図面の簡単な説明】
【図１】カードコネクタの分解斜視図
【図２】スライダーがイジェクト位置にある状態のボディの平面及びハートカムに対するフックピンの位置関係を示す断面図
【図３】第１アームと第２アームとの構造を示す分解斜視図及び側面図
【図４】ハートカムのカム溝を示す図
【図５】ハートカムのカム溝の形状を示す斜視図
【図６】カード挿入直後におけるボディの状態を示す平面図及びハートカムに対するフックピンの位置関係を示す断面図
【図７】ロック機構がロック状態にあるボディの状態を示す平面図及びハートカムに対するフックピンの位置関係を示す断面図
【図８】ロック状態からカードを挿入方向に操作した状態におけるボディの状態を示す平面図及びハートカムに対するフックピンの位置関係を示す断面図
【図９】ロック状態でカードを抜き出し方向に操作した状態におけるボディの状態を示す平面図及びハートカムに対するフックピンの位置関係を示す断面図
【符号の説明】
１、２          コンタクト
３、４          付勢機構
５              フックピン
２０            スライド作動部
２１            接当部
３０            受圧部
３２            係合片
３３            操作体
Ｂ              ボディ
Ｄ              凹部
Ｇ              カム溝
Ｌ              ロック機構
Ｍ              カード
Ｒ              ロック解除機構
Ｓ              スライダー
Ｅｊ            イジェクト位置
Ｌｏ            ロック位置
Ａ１            第１アーム
Ａ２            第２アーム
Ｙ１            第１軸芯
Ｙ２            第２軸芯
【図１】
2004241180.tif 000003
【図２】
2004241180.tif 000004
【図３】
2004241180.tif 000005
【図４】
2004241180.tif 000006
【図５】
2004241180.tif 000007
【図６】
2004241180.tif 000008
【図７】
2004241180.tif 000009
【図８】
2004241180.tif 000010
【図９】
2004241180.tif 000011